(57)【要約】【課題】  タックがなくとも着用者の座姿勢における下半身の形状の略相似形の立体形状を成し、且、大きく開くファスナーあきの設置や立位時の臀部対応部の布余りの軽減が可能な下衣を提供する。【解決手段】  着用者の座姿勢における右もしくは左下半身に１６の基準点を配置し、それらをつないで得られる各図形の略相似形である、腹部対応部材の中央片と右片と左片・右脚対応部材の外側片と内側片・左脚対応部材の外側片と内側片・後下半身対応部材の腰部対応部片と下肢後面対応部片という９個の構成部材を適宜逢着させることで、タックを入れずとも、着用者の座姿勢における下半身の形状の略相似形の立体形を成す下衣となる。左右下肢稜線上にある逢着線を利用すれば大きく開くファスナーあきが作れる。腰部対応部片に、立位時に該部材が収縮し臀部対応部材を引き上げる効果を持つゴムシャーリング加工を施せば臀部対応部の布余りが軽減される。  【選択図】図１
2016028179.tif 000002
【特許請求の範囲】
【請求項１】
主要な構成部材が、腹部対応部材の中央片と右片と左片・右脚対応部材の外側片と内側片・左脚対応部材の外側片と内側片・後下半身対応部材の腰部対応部片と下肢後面対応部片であり、
腹部対応部材の中央片は、着用者の座姿勢における、ウエストライン・右大腿稜線の延長線・右鼠径溝線・股底線（下腹部と椅子座面の接線）・左鼠径溝線・左大腿稜線の延長線で囲まれた形の略相似形で、腹部対応部材の右片は、着用者の座姿勢における、ウエストライン・右サイドライン・右鼠径溝線・右大腿稜線の延長線で囲まれた形の略相似形で、
腹部対応部材の左片は、腹部対応部材の右片の反転形で、
右脚対応部材の外側片は、着用者の座姿勢における、右鼠径溝・右下肢稜線・任意の右裾位線・右サイドラインで囲まれた形の略相似形で
右脚対応部材の内側片は、右鼠径溝・右鼠径溝線と股底線の交点と右脛骨点を結ぶ線・右下腿内側線・任意の右裾位線・右下肢稜線で囲まれた形の略相似形で、
左脚対応部材の外側片は、右脚対応部材の外側片の反転形で、
左脚対応部材の内側片は、右脚対応部材の内側片の反転形で、
後下半身対応部材の腰部対応部片は、着用者の座姿勢における、後面のウエストライン・右サイドライン・椅子座面と臀部との接線とその延長線で左右の鼠径溝線とサイドラインの交点に続く線・左サイドラインで囲まれた形の略相似形で、
後下半身対応部材の下肢後面対応部片は、着用者の座姿勢における、椅子座面と臀部との接線とその延長線で左右の鼠径溝線とサイドラインの交点に続く線・左サイドライン・任意の左裾位線・左下肢内側線・左鼠径溝線と股底線の交点と左脛骨点を結ぶ線・股底線・右鼠径溝線と股底線の交点と右脛骨点を結ぶ線・右下肢内側線・任意の右裾位線・右サイドラインで囲まれた形の略相似形で、
これらの略相似形は、ほぼ合同形に、ゆるみ分として少々の増幅を持たせたものであり、
上記構成部材の適宜縫着後は、着用者の座姿勢における下半身のウエストラインから任意の裾位までの形状と略相似形状の立体形状を成し、着用者の座姿勢に過不足なくフィットするという特徴をもった下衣。
【請求項２】
増幅、分割、統合、などの変形をしていても、請求項１にかかる下衣の各構成部材の形状が基礎であることが明確である構成部材からなることを特徴とする下衣。
【請求項３】
腰部対応部片に、立位時、腰部対応部が収縮し、臀部対応部を上方、もしくは求心的に引っ張ることで、臀部対応部の過度の布余りを軽減させる効果を持つような、単数もしくは複数のゴムシャーリング加工が施されたことを特徴とする請求項１または２に記載の下衣。
【発明の詳細な説明】
【技術分野】
【０００１】
本発明は座位において快適な下衣に関するものである。
【背景技術】
【０００２】
座位時に構成部材の過不足が生じないように工夫されたズボン型下衣としては本発明者による先行発明である「座姿勢を基に設計製作されたズボンタイプの下衣」（特許文献１参照）がある。
【先行技術文献】
【特許文献】
【０００３】
【特許文献１】特許第４９７９０４４号
【発明の概要】
【発明が解決しようとする課題】
【０００４】
前記特許文献１にかかる下衣は、臀裂に対応する部分に尻ぐりの縫い合わせによる厚みがないので、当該部位に蓐瘡を生じさせにくいとともに既にある蓐瘡を悪化させにくい。また、尻ぐりのみならず、座面はダーツや部材の縫い合わせによる局所的厚みがなく完全にフラットである。同時に、股ぐりの縫着線も股間の中心線上になく、縫い合わせによる局所的厚みが股間の中心線と重なることによって生じる当該部位における違和感や不快感がない。
また、着用者の座姿勢における下半身の形状、すなわち、胴部は略鉛直、股関節は略直角に屈折し、大腿部は略水平で、膝関節は略直角に屈折し、下腿部は略鉛直、足部は略水平という形状を再現し、座姿勢時に着用者の臀部や膝が必要とする空間を十分に確保しているので、当該部位が主材（布等）を無理に押し広げることがない。したがって、下衣の主材（布等）は伸縮性のあるものを用いる必要がない。そして、主材（布等）を押し広げたことの反作用による圧迫はないので、着用感の窮屈さや、当該部位における血流阻害は生じない。同時に腰部の露出、股間部や腹部への圧迫や主材（布等）の食い込み、裾前方の持ち上がりによる足首の露出といった問題も生じない。加えて、鼠蹊部、下腹部、股間部の周辺においても主材（布等）が過不足なくフィットし、各部位における主材（布等）の寄りだまりや浮き上がり、波打って起伏するといった問題が生じない。
しかしながら、上記の快適性を備えながらも、着用時、臀部側面と膝両脇に設けられたタックが開いてしまうと、当該部のアウトラインを崩し、美観を損ねる可能性があるとともに、構成部材を折り重ねるというタックの性質上、洗濯後、当該部が乾きにくい、また、タックを作るのに手間取るという欠点を有していた。
そして、あきを側面に設けているため、車椅子利用者にとっては、車椅子に着座した状態であきを開閉することは、車輪が邪魔になってしまい、困難であった。さらに、そのあきは、カーブした逢着線上に設けるため、ファスナーの利用が不可能であり、多数のホックやスナップを用いねばならず、縫製も困難であり、着用者にとっても開閉に手間取る結果が生じていた。
また、上記下衣を着用しての立位は臀部対応部に過度の布余りを生じさせ、著しく美観を損ねていたため、立位では着用しがたく、該下衣の利用者は立位を取らない人、すなわち下肢に不自由のある障碍者か高齢者に限られていた。
【０００５】
したがって、本発明の目的は、上記の快適性を失うことなく、タックが存在せず、ホックやスナップなどによるあきではなく、ファスナーによるあきが、側面ではなく前面にあり、立位時に臀部対応部に過度の布余りを生じさせず、良好な美観を保ち、下肢不自由者以外が着用しても障りない下衣を提供することである。
【課題を解決するための手段】
【０００６】
上記課題を解決するため、
主要な構成部材が、腹部対応部材の中央片と右片と左片・右脚対応部材の外側片と内側片・左脚対応部材の外側片と内側片・後下半身対応部材の腰部対応部片と下肢後面対応部片であり、
腹部対応部材の中央片は、着用者の座姿勢における、ウエストライン・右大腿稜線の延長線・右鼠径溝線・股底線（下腹部と椅子座面の接線）・左鼠径溝線・左大腿稜線の延長線で囲まれた形の略相似形で、腹部対応部材の右片は、着用者の座姿勢における、ウエストライン・右サイドライン・右鼠径溝線・右大腿稜線の延長線で囲まれた形の略相似形で、
腹部対応部材の左片は、腹部対応部材の右片の反転形で、
右脚対応部材の外側片は、着用者の座姿勢における、右鼠径溝・右下肢稜線・任意の右裾位線・右サイドラインで囲まれた形の略相似形で
右脚対応部材の内側片は、右鼠径溝・右鼠径溝線と股底線の交点と右脛骨点を結ぶ線・右下腿内側線・任意の右裾位線・右下肢稜線で囲まれた形の略相似形で、
左脚対応部材の外側片は、右脚対応部材の外側片の反転形で、
左脚対応部材の内側片は、右脚対応部材の内側片の反転形で、
後下半身対応部材の腰部対応部片は、着用者の座姿勢における、後面のウエストライン・右サイドライン・椅子座面と臀部との接線とその延長線で左右の鼠径溝線とサイドラインの交点に続く線・左サイドラインで囲まれた形の略相似形で、
後下半身対応部材の下肢後面対応部片は、着用者の座姿勢における、椅子座面と臀部との接線とその延長線で左右の鼠径溝線とサイドラインの交点に続く線・左サイドライン・任意の左裾位線・左下肢内側線・左鼠径溝線と股底線の交点と左脛骨点を結ぶ線・股底線・右鼠径溝線と股底線の交点と右脛骨点を結ぶ線・右下肢内側線・任意の右裾位線・右サイドラインで囲まれた形の略相似形で、
これらの略相似形は、ほぼ合同形に、ゆるみ分として少々の増幅を持たせたものであり、
上記構成部材の適宜縫着後は、着用者の座姿勢における下半身のウエストラインから任意の裾位までの形状と略相似形状の立体形状を成し、着用者の座姿勢に過不足なくフィットするという特徴をもった下衣を提供する。
【０００７】
また、増幅、分割、統合、などの変形をしていても、上記下衣の各構成部材の形状が基礎であることが明確である構成部材からなることを特徴とする下衣は本発明によるものとする。
【０００８】
上記下衣の腰部対応部片に、立位時、腰部対応部が収縮し、臀部対応部を上方、もしくは求心的に引っ張ることで、臀部対応部の過度の布余りを軽減させる効果を持つような、単数もしくは複数のゴムシャーリング加工を施す。
【０００９】
なお、あきは、左右下肢稜線上にある逢着線を利用すれば、大きく開くファスナーあきが作れる。
【発明の効果】
【００１０】
本発明による下衣は、前記特許文献１にかかる下衣と同様に、着用者の座姿勢に過不足なく沿う形状であり着用者の臀部や膝が必要とする空間を十分に確保している。且、椅子の座面と人体に挟まれる部分には縫い合わせがなく、股ぐりの縫着線が股間の中心線上にないので、
鼠蹊部、下腹部、股間部の周辺においても主材（布等）が過不足なくフィットし、各部位における主材（布等）の寄りだまりや浮き上がり、波打って起伏するといった問題が生じないことと、
腰部の露出、股間部や腹部への圧迫や主材（布等）の食い込み、裾前方の持ち上がりによる足首の露出といった問題が生じないことと、
座姿勢時に、当該部位が主材（布等）を無理に押し広げることがなく、主材（布等）を押し広げたことの反作用による圧迫はないので、着用感の窮屈さや、当該部位における血流阻害は生じないことと、
縫い合わせの局所的厚みによって発症しやすい臀裂上部の蓐瘡を生じさせにくいとともに、既にある当該部位の蓐瘡を悪化させにくいことと、
縫い合わせによる局所的厚みが股間の中心線と重なることによって生じる当該部位における違和感や不快感がないという効果を有する。
以上の特徴に加えて、前記特許文献１にかかる下衣と異なり、タックがないのでタックが開くことによるアウトラインの崩れが生じないほか、タックによる構成部材の折り重なりがないので、洗濯時に著しく乾きにくい個所がない。そしてタックを入れる手間が省ける。
さらには、あきを直線的逢着線上に設けることが可能なので、ファスナーを用いることができる。そのうえ、このあきは、前面にあるので、車椅子利用者が車椅子に着座した状態でも、開閉に際し車椅子の車輪に邪魔されることなく開閉できる。あきの大きさは前記特許文献１にかかる下衣と同様に大きく開くものである。
【図面の簡単な説明】
【００１１】
【図１】本発明に係る下衣を斜め前から見た斜視図である。（実施例１）
【図２】本発明に係る下衣の主要部材を示した図である。（実施例１）
【図３】着用者の座姿勢における下半身を斜め前方から見た斜視図に本発明に係る下衣の作成に必要な採寸を行うための基準点と各基準点をつなぐ線を示した図である。
【図４】着用者の座姿勢における下半身を正面から見た図に本発明に係る下衣の作成に必要な採寸を行うための基準点と各基準点をつなぐ線を示した図である。
【図５】着用者の座姿勢における下半身を斜め後ろから見た斜視図に本発明に係る下衣の作成に必要な採寸を行うための基準点と各基準点をつなぐ線を示した図である。
【図６】本発明に係る下衣を斜め後下方から見た斜視図である。（実施例１）
【図７】本発明に係る下衣を斜め後下方から見た斜視図である。（実施例２）
【図８】本発明に係る下衣の主要部材を示した図である。（実施例２）
【図９】本発明に係る下衣の後下半身対応部材の腰部対応部片を示した図である。（実施例３）
【発明を実施するための形態】
【実施例１】
【００１２】
実施例１は本発明の基礎となる形態である。
【００１３】
図１は本発明に係る下衣の実施例１（Ｋ１）を斜め前から見た図である。
実施例１は着用者を標準体型の成人女子を想定したスリムタイプのロングパンツであり、裾位は外果位と重なる位置に設定されたもので、クリーズラインにステッチが施されたデザインになっていると同時に該ライン上にファスナーあきが設けられているタイプである。
【００１４】
図２は実施例１の構成部材を示したものである。
（A）は腹部対応部材の中央片である。
（B）は腹部対応部材の右片である。
腹部対応部材とは、着用者の下腹部・股間部を覆う布片である。
（C）は右脚対応部材の外側片である。
（D）は右脚対応部材の内側片である。
脚前面対応部材とは、着用者の脚前面を鼠径部から外果位まで覆う布片である。
（E）は後下半身対応部材の腰部対応部片である。
（F）は後下半身対応部材の下肢後面対応部片である。
後下半身対応部材とは、着用者の後下半身のウエストラインから外果位までを覆う布片である。
なお、腹部対応部材の左片は右片の反転形であり、左脚前面対応部の外側片は右脚前面対応部の外側片の反転形であり、左脚前面対応部の内側片は右脚前面対応部の内側片の反転形であるため、腹部対応部材の左片、左脚前面対応部の外側片、左脚前面対応部の内側片を図示することは省略した。各縫い代、ウエストベルト用部材は自明であるため省略した。
【００１５】
図３〜５に示すa〜qの各点は、実施例１の作成に必要な採寸を行うための基準点である。以下、各基準点の説明である。
aは、着用者の座姿勢における、前正中線とウエストラインとの交点である。（図３・図４）
bは、着用者の座姿勢における、右大腿稜線の延長線とウエストラインの交点である。（図３・図４）
cは、着用者の座姿勢における、右サイドラインインとウエストラインの交点である。（図３・５）
dは、着用者の座姿勢における、右大腿稜線と右鼠径溝線の交点である。（図３・図４）
eは、着用者の座姿勢における、右サイドラインと右鼠径溝線の交点である。（図３・５）
fは、着用者の座姿勢における、股底線と左鼠径溝の交点である。（図４）
gは、着用者の座姿勢における、股底線と正中線の交点である。（図４）
hは、着用者の座姿勢における、股底線と右鼠径溝線の交点である。（図４）
iは、着用者の座姿勢における、右脛骨点である。（図４）
jは、着用者の座姿勢における、右膝蓋骨中点である。（図４）
kは、着用者の座姿勢における、右膝囲線と右サイドラインの交点である。（図３・５）
lは、着用者の座姿勢における、右下腿内側線と右外果位囲線の交点である。（図４）
mは、着用者の座姿勢における、右下腿稜線との右外果位囲線交点である。（図３・図４）
nは、着用者の座姿勢における、右サイドラインと右外果位囲線の交点である。（図３・５）
oは、着用者の座姿勢における、後正中線とウエストラインの交点である。（図５）
pは、着用者の座姿勢における、後正中線と、椅子座面と腰部の接線との交点である。（図４）
ここで、股底線とは、下腹部と椅子座面の接線と定義する。
【００１６】
図２に示す構成部材の各切断片と各中心線と各基準線は、図３〜５に示す本発明に係る下衣の作成に必要な各採寸線と以下のように対応するものである。
採寸線b〜dと切断辺1(＝1’)
採寸線d〜hと切断辺2(＝2’)
採寸線h〜fと切断辺3(＝3’)
採寸線c〜eと切断辺4(＝4’)
採寸線d〜eと切断辺5(＝5’)
採寸線d〜jと切断辺6(＝6’)
採寸線j〜mと切断辺7(＝7’)
採寸線e〜kと切断辺8(＝8’)
採寸線k〜nと切断辺9(＝9’)
採寸線h〜iと切断辺10(＝10’)
採寸線i〜lと切断辺11(＝11’)
採寸線a〜bと切断辺12
採寸線b〜cと切断辺13
採寸線c〜oと切断辺14
採寸線m〜nと切断辺15
採寸線l〜mと切断辺16
採寸線l〜nと切断辺17
採寸線a〜gと中心線18
採寸線o〜pと中心線19
採寸線p〜gと中心線20
採寸線k〜jと基準線21
採寸線i〜jと基準線22
採寸線i〜kと基準線23
採寸線e〜pと切断辺24(＝24’)
【００１７】
上記構成部材の各辺および線の長さは、それに対応する採寸線の寸法に適宜「ゆるみ分」を与えた数値にする。
よって構成部材の形状は以下のとおりである。。
（A)の中心線18より左側の図形は、図３で示す基準点aghdbで囲まれた図形の略相似形である。（A)の中心線18より右側の図形は左側の図形の反転形である。
（B)は図３で示す基準点bdecで囲まれた図形の略相似形である。
（C)は図３で示す基準点dmnkで囲まれた図形の略相似形である。
（D)は図３で示す基準点dmlhで囲まれた図形の略相似形である。
（E)の中心線19より左側は、図３で示す基準点cepoで囲まれた図形の略相似形である。（E)の中心線19より右側は左側の反転形である。
（F)の中心線20より左側は、図３で示す基準点enlhgpで囲まれた図形の略相似形である。（F)の中心線22より右側は左側の反転形である。
【００１８】
すなわち、
（A)腹部対応部材の中央片は、着用者の座姿勢における、ウエストライン・右大腿稜線の延長線・右鼠径溝線・股底線（下腹部と椅子座面の接線）・左鼠径溝線・左大腿稜線の延長線で囲まれた形の略相似形で、
（B)腹部対応部材の右片は、着用者の座姿勢における、ウエストライン・右サイドライン・右鼠径溝線・右大腿稜線の延長線で囲まれた形の略相似形で、
腹部対応部材の左片は、腹部対応部材の右片の反転形で、
（C)右脚対応部材の外側片は、着用者の座姿勢における、右鼠径溝・右下肢稜線・任意の右裾位線・右サイドラインで囲まれた形の略相似形で
（D)右脚対応部材の内側片は、右鼠径溝・右鼠径溝線と股底線の交点と右脛骨点を結ぶ線・右下腿内側線・任意の右裾位線・右下肢稜線で囲まれた形の略相似形で、
左脚対応部材の外側片は、右脚対応部材の外側片の反転形で、
左脚対応部材の内側片は、右脚対応部材の内側片の反転形で、
（E)後下半身対応部材の腰部対応部片は、着用者の座姿勢における、後面のウエストライン・右サイドライン・椅子座面と臀部との接線とその延長線で左右の鼠径溝線とサイドラインの交点に続く線・左サイドラインで囲まれた形の略相似形で、
（F)後下半身対応部材の下肢後面対応部片は、着用者の座姿勢における、椅子座面と臀部との接線とその延長線で左右の鼠径溝線とサイドラインの交点に続く線・左サイドライン・任意の左裾位線・左下肢内側線・左鼠径溝線と股底線の交点と左脛骨点を結ぶ線・股底線・右鼠径溝線と股底線の交点と右脛骨点を結ぶ線・右下肢内側線・任意の右裾位線・右サイドラインで囲まれた形の略相似形である。
これらの略相似形は、ほぼ合同形であるが、ゆるみ分として少々の増幅を持たせると共に形状をやや簡略化したものである。
【００１９】
実施例１の右側部分は、図２に示す部材の切断辺1と1’、2と2’、3と3’、4と4’、5と5’、6と6’、7と7’、8と8’、9と9’、10と10’、11と11’、24と24’を縫着することによって得られる。その際、１と１’から６と６’の約２分の１地点までをあきとする。あきは直線なのでファスナーをつけることができる。左側部分は中心線を軸に反転したものなので、上記と同様の手順によって得られる。その後、ウエストベルトをつける、、裾を始末する、あき上端にボタン（スナップやホック等）をつける、などの処置を行えば実施例１は製品として完成する。
【実施例２】
【００２０】
実施例２は実施例１の変形で、実施例１の構成部材の一部を増幅、統合させた構成部材からなることを特徴とする下衣である。
【００２１】
図７は本発明に係る下衣の実施例２（Ｋ３）を斜め後下方から見た図である。実施例１と異なる点は、腹部対応片の右片と右脚対応部の外側片、後下半身対応部材の腰部対応部と臀部・脚部後面対応部片が一続きになっているところと、一般にブーツカットと呼ばれる裾が広がりのデザインになっているところである。
【００２２】
図８は実施例２の構成部材を示したものである。
（A）は腹部対応部材の中央片である。
(G) は前下半身右外側対応部材である。
(D) は右脚対応部の内側片である。
(H) は後下半身対応部材である。
前下半身右外側対応部材は、実施例１の（B）腹部対応片の右片と（C）右脚対応部の外側片（図２参照）を統合したものである。後下半身対応部材は、実施例１の（E）腰部対応片と（F）下肢後面対応部片（図２参照）を統合したものである。
また、(G) 前下半身右外側対応部材と、(D) 右脚対応部の内側片と、(H) 後下半身対応部材のは、裾広がりの仕上がりになるように実施例１の各裾部を増幅させている。
左側は右側の反転であり、前下半身左外側対応部材と、左脚対応部の内側片を図示することは省略した。
【００２３】
腹部対応部材の中央片、 前下半身右外側対応部材、前下半身左外側対応部材、左右脚対応部の内側片、後下半身対応部材をそれぞれ実施例１に習い、適宜逢着させたものが図７に示す本発明に係る下衣の実施例２（Ｋ３）である。
【実施例３】
【００２４】
実施例３は、実施例１の立位での着用に際し美観を著しく損ねていない形態を実現したものである。
【００２５】
実施例３は実施例１の腰部対応部片の上端から下端に向かって広がる放射線状のゴムシャーリング加工を施すことにより、腰部対応部材の上端と下端の距離が伸び縮みするような伸縮性を持たものである。これにより、実施例３を着用しての立位時、腰部対応部が縮み、臀部対応部をリフトアップするので、先行発明である前記特許文献１にかかる下衣と本発明に係る下衣の実施例１・２を着用しての立位時に臀部付近で生じていた過度の布余りは軽減される。
【産業上の利用可能性】
【００２６】
本発明は、前記特許文献１にかかる下衣と同様に、生地の厚みや伸縮性などの性質に影響されないので、レザーやデニムなど厚手の素材や、シルクやウールなどの展延に弱い素材などを使用しての製造も可能である。またビニル加工布などを用いれば、雨具としての製品化も可能できある。よって、単一的な商品提供に留まらず、ファッション性を追求したデザイン展開や、素材の効能を活用した新商品の開発など、応用の幅が広く、多様なニーズに対応できる下衣を生産・提供できる。
また、本発明のあきの構造は、通常の下衣より自己導尿を行う操作が容易であり、女性あっても尿瓶への排尿を着衣のまま行うことができる可能性を有している。さらに、前記特許文献１にかかる下衣とは異なり、開閉にファスナーを利用することができるので、より、排尿時における着脱の時間短縮が見込める。これにより、車椅子を利用者の外出の機会を促進できよう。
加えて、タックによる主材（布等）の折り重なりがなくなったため、乾燥に要する時間を短縮できたほか、タンブラーに乾燥にかかるエネルギーを節約できる。同時にタックを調整する手間が省けたので、生産における作業能率のスピードアップが見込める。
また、立位時においても著しく美観を損ねていないので、下肢に不自由がない者の着用しても障りない。
【符号の説明】
【００２７】
Ａ・・・・・・・本発明による下衣の腹部対応部材の中央片
Ｂ・・・・・・・本発明による下衣の腹部対応部材の右片
Ｃ・・・・・・・本発明による下衣の右脚対応部材の外側片
Ｄ・・・・・・・本発明による下衣の右脚対応部材の内側片
Ｅ・・・・・・・本発明による下衣の後下半身対応部材の腰部対応部片
Ｆ・・・・・・・本発明による下衣の後下半身対応部材の下肢後面対応部片
Ｇ・・・・・・・本発明による下衣の前下半身右外側対応部材（実施例２）
Ｈ・・・・・・・本発明による下衣の後下半身対応部材（実施例２）
Ｉ・・・・・・・本発明による下衣の後下半身対応部材のゴムシャーリング加工が施された腰部対応部片（実施例３）
Ｊ１・・・・・・着用者の座姿勢における右下半身
Ｊ２・・・・・・着用者の座姿勢における右下半身
Ｊ３・・・・・・着用者の座姿勢における右下半身
Ｋ１・・・・・・本発明による下衣の実施例１
Ｋ２・・・・・・本発明による下衣の実施例１
Ｋ３・・・・・・本発明による下衣の実施例２
a ・・・・・・・着用者の座姿勢における、前正中線とウエストラインとの交点
b ・・・・・・・着用者の座姿勢における、右大腿稜線の延長線とウエストラインの交点
c ・・・・・・・着用者の座姿勢における、右サイドラインインとウエストラインの交点
d ・・・・・・・着用者の座姿勢における、右大腿稜線と右鼠径溝線の交点
e ・・・・・・・着用者の座姿勢における、右サイドラインと右鼠径溝線の交点
f ・・・・・・・着用者の座姿勢における、股底線と左鼠径溝の交点
g ・・・・・・・着用者の座姿勢における、股底線と正中線の交点
h ・・・・・・・着用者の座姿勢における、股底線と右鼠径溝線の交点
i ・・・・・・・着用者の座姿勢における、右脛骨点
j ・・・・・・・着用者の座姿勢における、右膝蓋骨中点
k ・・・・・・・着用者の座姿勢における、膝囲線と右サイドラインの交点
l ・・・・・・・着用者の座姿勢における、右下腿内側線と右外果位囲線の交点
m ・・・・・・・着用者の座姿勢における、右下腿稜線と右外果位囲線の交点
n ・・・・・・・着用者の座姿勢における、右サイドラインと右外果位囲線の交点
o ・・・・・・・着用者の座姿勢における、後正中線とウエストラインの交点
p ・・・・・・・着用者の座姿勢における、後正中線と椅子座面との交点
r１ ・・・・・・右あきどまり
r２ ・・・・・・左あきどまり
s ・・・・・・・ゴムシャーリング
【図１】
2016028179.tif 000003
【図２】
2016028179.tif 000004
【図３】
2016028179.tif 000005
【図４】
2016028179.tif 000006
【図５】
2016028179.tif 000007
【図６】
2016028179.tif 000008
【図７】
2016028179.tif 000009
【図８】
2016028179.tif 000010
【図９】
2016028179.tif 000011